(57)【特許請求の範囲】
【請求項１】
枠状の周壁によって上面が開放する箱型に形成された栽培ベンチ内の上部に、栽培トレーを載置するための通気性を有するトレー支持層と、通気性と保水性を有するシートを設け、上記栽培ベンチ内でトレー支持層の下部に形成した空気室の内部に空調空気を空気室内に吹き出す送風ダクトを配置し、栽培ベンチの外部に設けた空調設備から送風ダクトに空調空気を供給することにより、トレー支持層の上面から空調空気を均一に吹き出すようにした育苗用の開放型空調装置において、上記栽培ベンチ内で送風ダクトが納まる空気室の底部に、防水シートとその上に位置する通気性と保水性を有するシートが敷設され、上記トレー支持層が二枚の金網で形成され、通気性及び保水性を有するシートが二枚の金網間に配置されていることを特徴とする育苗用の開放型空調装置。
【請求項２】
枠状の周壁によって上面が開放する箱型に形成された栽培ベンチ内の上部に、栽培トレーを載置するための通気性を有するトレー支持層を設け、このトレー支持層の下部に通気性と保水性を有するシートを、その上下に空気室を形成するように張設し、上記栽培ベンチ内で通気性と保水性を有するシートの下部に形成した空気室の内部に空調空気を空気室内に吹き出す送風ダクトを配置し、栽培ベンチの外部に設けた空調設備から送風ダクトに空調空気を供給することにより、トレー支持層の上面から空調空気を均一に吹き出すようにした育苗用の開放型空調装置。
【請求項３】
上記栽培ベンチ内で送風ダクトが納まる空気室の底部に、防水シート層とその上に位置する通気性と保水性を有するシートが敷設され、上記トレー支持層が金網で形成されている請求項２に記載の育苗用の開放型空調装置。
【請求項４】
上記送風ダクトが、チューブを用いて形成され、このチューブに多数の空気吹き出し孔が設けられている請求項１乃至３の何れかに記載の育苗用の開放型空調装置。
【請求項５】
上記栽培ベンチの周壁と底壁が断熱材によって形成されている請求項１乃至４の何れかに記載の育苗用の開放型空調装置。
【発明の詳細な説明】
【０００１】
【発明の属する技術分野】
この発明は、栽培トレーに植え込んだ苗を所要の温度条件下で育てるための育苗用の開放型空調装置に関する。
【０００２】
【従来の技術】
従来、一般に普及している苗のハウス栽培において、苗の育苗を促進させる手段の一つとして、ハウス内全体を冷暖房し、夏季の盛りでは、栽培温度を所定温度まで下げて冷却し、また、冬季には、栽培温度を所定温度まで上げて暖房することで、栽培する苗の品質を高めたり、生産の安定化を行っている。
【０００３】
こうした苗のハウス栽培における空調システムは、作業性、苗に与える影響等から、育苗ハウスの内部全体を空調するようになっているので、栽培空間以外の部分も空調することになり、このため、冷暖房負荷が大きく、熱源として大きなものを使用しなければならないので、イニシャルコスト、ランニングコストが高くつくことになる。
【０００４】
このような問題を解決するための手段として、図４に示すように、ハウス３１内に設置した栽培ベンチ３２の上部を通気性のないシート３３で部分的に覆い、栽培ベンチ３２の下部に配置したダクト３４から栽培ベンチ３２に向けて、空調空気を吹き出させるようにした空調装置が提案されている。
【０００５】
【発明が解決しようとする課題】
しかし、栽培ベンチ３２の上部を通気性のないシート３３で覆うと、太陽光はハウス３１の外層とシート３３の二層を通過しなくてはならず、このため、苗に対する光の照射効率が低下し、しかも、散水によりシート３３内空間の湿度が必要以上に高くなり、苗に悪影響を与えることになる。
【０００６】
また、苗の手入れ等の作業ごとに、栽培ベンチ３２上からシート３３を除去しなければならないので、作業能率が極めて悪いという問題がある。
【０００７】
そこで、この発明の課題は、栽培ベンチの上部を開放した状態のままで、栽培空間のみを空調することができるようにし、これにより、イニシャルコスト、ランニングコストを低減し、作業性及び栽培効率を向上させることができる育苗用の開放型空調装置を提供することにある。
【０００８】
【課題を解決するための手段】
上記の課題を解決するために、第１の発明は、枠状の周壁によって上面が開放する箱型に形成された栽培ベンチ内の上部に、栽培トレーを載置するための通気性を有するトレー支持層と、通気性と保水性を有するシートを設け、上記栽培ベンチ内でトレー支持層の下部に形成した空気室の内部に空調空気を空気室内に吹き出す送風ダクトを配置し、栽培ベンチの外部に設けた空調設備から送風ダクトに空調空気を供給することにより、トレー支持層の上面から空調空気を均一に吹き出すようにした育苗用の開放型空調装置において、上記栽培ベンチ内で送風ダクトが納まる空気室の底部に、防水シートとその上に位置する通気性と保水性を有するシートが敷設され、上記トレー支持層が二枚の金網で形成され、通気性及び保水性を有するシートが二枚の金網間に配置されている構成を採用したものである。
【００１０】
また、第２の発明は、枠状の周壁によって上面が開放する箱型に形成された栽培ベンチ内の上部に、栽培トレーを載置するための通気性を有するトレー支持層を設け、このトレー支持層の下部に通気性と保水性を有するシートを、その上下に空気室を形成するように張設し、上記栽培ベンチ内で通気性と保水性を有するシートの下部に形成した空気室の内部に空調空気を空気室内に吹き出す送風ダクトを配置し、栽培ベンチの外部に設けた空調設備から送風ダクトに空調空気を供給することにより、トレー支持層の上面から空調空気を均一に吹き出すようにした構成を採用したものである。
【００１１】
この第２の発明において、栽培ベンチ内で送風ダクトが納まる空気室の底部に、防水シートとその上に位置する通気性と保水性を有するシートが敷設され、上記トレー支持層が金網で形成されている構造とすることができる。
【００１２】
上記の両発明において、送風ダクトが、チューブを用いて形成され、このチューブに多数の空気吹き出し孔が設けられている構造としたり、栽培ベンチの周壁と底壁を断熱材によって形成し、保冷、保温効果を高めるようにすることができる。
【００１３】
ここで、送風ダクトは、特に限定されるものではないが、例えば、可撓性合成樹脂、硬質合成樹脂、各種金属製のチューブ、布等の適宜材料を用いて形成することができる。
【００１４】
上記送風ダクトに空調設備から空調空気を供給すると、送風ダクトの空気吹き出し孔から空気室に空調空気の微風が吹き出し、トレー支持層又はトレー支持層の下部に通気性及び保水性を有するシートを設けることにより、空気室内での空調空気の均圧化が有効に行われ、均圧化された空調空気は、栽培トレーを載置したトレー支持層の上面から均等に吹き出し、苗の下部を直接冷却又は加温することになる。
【００１５】
また、空気室の底部とトレー支持層及びトレー支持層の下部に、通気性及び保水性を有するシートを設けることにより、散水に使用した水を上記通気性及び保水性を有するシートに吸水させることができ、吸水した通気性及び保水性を有するシートに対して空調空気を通すことにより、夏季は水の気化冷却により冷却効果を高め、冬季は水の蒸散により乾燥防止を行うことができる。
【００１６】
さらに、栽培ベンチの上面を開放型とすることにより、苗の上部を直接覆うものはなく、作業性がよくなると共に、太陽光を遮るものがなくなり、苗の育成効果が向上し、また、栽培ベンチの上面から空調空気の吹き出し口にすることにより、育苗トレー内に下部から空調空気が流入し、育苗土への空気の供給は、根に酸素を十分に与え、その生育を促し、ミネラルの活発な吸収を助けることにより、根の発達、茎葉の締まりを良くし、健全で活着の優れた苗をつくることができる。
【００１７】
【発明の実施の形態】
以下、この発明の実施の形態を図示例と共に説明する。
【００１８】
図示のように、栽培ベンチ１は、断熱材を用いた底壁２とその周囲に立ち上がる枠状の周壁３とで、平面長方形で上面が開放した箱型の容器に形成され、この栽培ベンチ１は、適宜架台４上に水平状態に載置され、防水性を与えるため、栽培ベンチ１内で上記底壁２の上面から枠状の周壁３の内面にわたってビニール等の防水シート５が敷設され、この防水シート５上に、通気性及び保水性を有するシート６が重ねて載置されている。
【００１９】
上記栽培ベンチ１内の上部に、栽培トレー７を載置するための、トレー支持層となる通気性を有する金網８と、通気性と保水性を有するシート９を設け、上記栽培ベンチ１内で金網８の下部に形成した空気室１０の内部に、空調空気を空気室１０内に吹き出す送風ダクト１１が栽培ベンチ１の長さ方向の全長にわたって配置されている。
【００２０】
上記送風ダクト１０は、特に材質は限定されないが、可撓性を有する合成樹脂チューブや硬質の合成樹脂チューブ、各種金属製のチューブ、布等の適宜材料を用い、このチューブの両側等に図示省略したが多数の空気吹き出し孔を設けて形成され、図示の場合、送風ダクト１０は、二本を並列させたが、栽培ベンチ１の幅に合わせて本数を設定すればよい。
【００２１】
この送風ダクト１１は、栽培ベンチ１の一方端部で外部に引き出され、栽培ベンチ１の外部に設置した空調設備１２とダクト１３を介して接続され、空調設備１２から送風ダクト１１に微風の冷風または温風となる空調空気を供給するようになっている。
【００２２】
図２に示す第１の例において、上記金網８は、エスキパンドメタルのような通気性と強度のある材料で形成され、この金網８は、栽培ベンチ１の周壁３の内面に設けた支持桟１４に周囲を載置することによって、栽培ベンチ１の内部に水平状態で張設されている。
【００２３】
上記栽培ベンチ１の内部において、金網８の下方位置で適当な空間を設けた位置に、通気性及び保水性を有するシート９が水平状態で張設されている。この通気性及び保水性を有するシート９は、栽培ベンチ１の周壁３の内面に設けた支持桟１５に周囲を固定することによって配置されている。
【００２４】
上記金網８が栽培トレー７の重量を支持すると共に、栽培ベンチ１の内部にゴミ等が落ちないように、この金網８の上面から周壁３の内面には寒冷紗のような通気性のある目の細かいシート１６が敷設されている。
【００２５】
上記通気性及び保水性を有するシート９の下部空間が、送風ダクト１１を収納する第１の空気室１０ａとなり、金網８と通気性及び保水性を有するシート９間の上部空間が空調空気を均一にするための第２の空気室１０ｂになり、送風ダクト１１から第１の空気室１０ａに吹き出した空調空気は、通気性及び保水性を有するシート９によって均一化された後、第２の空気室１０ｂに流れ、再度均一化されて金網８の上面から均等に吹き出すことになる。
【００２６】
図３に示す第２の例は、トレー支持層の形成に、エスキパンドメタルのような通気性と強度のある二枚の金網８、８を用い、これを栽培ベンチ１の周壁３の内面に設けた支持桟１４に周囲を載置することによって、栽培ベンチ１の内部に水平状態で張設したものであり、重ね合わせた二枚の金網８、８の採用によりトレー支持強度を向上させている。
【００２７】
また、通気性及び保水性を有するシート９を、上記二枚の金網８、８間に挟み込むことによって配置している。
上部金網８の上面から周壁３には寒冷紗のような目の細かいシート１６が敷設され、栽培ベンチ１内において、この金網８、８の下に送風ダクト１１を収納する空気室１０が形成され、送風ダクト１１から空気室１０に吹き出した空調空気は、通気性及び保水性を有するシート９で均一化され、金網８の上面から均等に吹き出すようになっている。
【００２８】
上記した栽培ベンチ１の上方には、図２のように、散水範囲が栽培ベンチ１の横幅をカバーできる散水ノズル１７が、栽培ベンチ１の長さ方向に移動自在となるよう配置され、金網８上に載置した栽培トレー７の苗Ａに対して散水することができるようになっている。
【００２９】
この発明の育苗用空調装置は、上記のような構成であり、次に、この装置を用いた育苗方法を説明する。
【００３０】
図示のように、栽培ベンチ１の金網８上に栽培トレー７を並べて載置し、送風ダクト１１に空調設備１２から、夏季は冷風、冬季は温風となる空調空気を供給すると共に、散水ノズル１７で栽培トレー７の苗Ａに対して適宜の間隔時間で散水する。
【００３１】
上記送風ダクト１１で空気室１０又は１０ａに吹き出した微風の空調空気は、通気性及び保水性を有するシート９で均一化され、金網８の上面へ均等に吹き出し、苗Ａの下部を直接冷却又は加温する。
【００３２】
このように、送風ダクト１１からの空調空気を通気性及び保水性を有するシート９で均一化したのち、栽培ベンチ１の上面から吹き出すようにすると、苗Ａに対する栽培空間のみを空調することになり、栽培ベンチ１を収納するハウス全体を空調する場合に比べて、ランニングコストを低減することができ、空調による実用レベルの局所空調システムになる。
【００３３】
また、苗Ａの葉裏に常に新鮮な空気を供給することができ、気孔付近の積極的な換気が図られ、従長のないしっかりとした苗になる。
【００３４】
金網８の上面に吹き出す空調空気は、散水によって水分を含んだ下位の通気性及び保水性を有するシート６と接触し、かつ、同じく水分を含んだ上位の通気性及び保水性を有するシート９を通過することにより、加湿されることになり、夏季は水の気化冷却により冷却効果を高め、冬季は水の蒸散により乾燥防止を行うことで、苗Ａの育成効果を高めることができる。
【００３５】
上記のように、栽培ベンチ１は周壁３の上面を開放し、この上面を空調空気の吹き出し口にすることにより、空調空気は栽培トレー７の下部から上方へと円滑に流れ、図２と図３のように、育苗トレー７内に底部の水抜き孔から空調空気が流入し、育苗土への空気の供給は、根に酸素を十分に与え、その生育を促し、ミネラルの活発な吸収を助けることにより、根の発達、茎葉の締まりを良くし、健全で活着の優れた苗Ａをつくることができる。
【００３６】
また、栽培ベンチ１は枠状となる周壁３の上面を開放しているので、苗Ａの上部を直接覆うものはなく、栽培ベンチ１をハウス内に設置した場合でも太陽光はハウス外層を通過して直接苗に照射することになり、苗に対する光の供給が十分確保できると共に、苗Ａの周囲環境が過湿になるようなこともなく、しかも、栽培ベンチ１の上部に障害物がないので、苗Ａに対して必要となる各種作業が能率よく行えることになる。
【００３７】
なお、この発明の開放型空調装置の使用は、ハウス内での設置以外に、屋外への設置や、屋上の緑化等にも広範に使用することができる。
【００３８】
【発明の効果】
以上のように、この発明によると、上記のような構成であるので、以下に示すような効果がある。
【００３９】
１、栽培ベンチの上面を開放型とし、送風ダクトからの空調空気を栽培ベンチの上面から均一に吹き出すようにしたので、苗に対する栽培空間のみを空調することになり、ハウス全体を空調する場合に比べて、イニシャルコスト、ランニングコストを低減することができ、空調による実用レベルの局所空調システムになる。
【００４０】
２、栽培ベンチの上面を開放型とすることにより、苗を直接覆うものはなく、栽培ベンチをハウス内に設置した場合でも太陽光はハウス外層を通過して直接苗に照射することになり、苗に対する光の供給が十分確保できると共に、苗の周囲環境が過湿になるようなこともなく、しかも、栽培ベンチの上部に障害物がないので、苗に対する各種作業が能率よく行えることになる。
【００４１】
３、ダクトからの空調空気を栽培ベンチの上面から均一に吹き出すようにしたので、苗に対する栽培空間のみを空調することになり、ハウス全体を空調する場合に比べて、イニシャルコスト、ランニングコストを低減することができ、空調による実用レベルの局所空調システムになる。
【００４２】
４、苗に対する栽培空間のみを空調することにより、苗の葉裏に常に新鮮な空気を供給することができ、気孔付近の積極的な換気が図られ、育成効果を高め、従長のないしっかりとした苗を育成することができる。
【００４３】
５、栽培ベンチの上面を開放型とし、この上面を空調空気の吹き出し口にしたので、育苗トレー内に底部の水抜き孔から空調空気を流入させることができ、育苗土への空気の供給は、根に酸素を十分に与え、その生育を促し、ミネラルの活発な吸収を助けることにより、根の発達、茎葉の締まりを良くし、健全で活着の優れた苗をつくることができる。
【００４４】
６、栽培ベンチ内に通気性と保水性を有するシートを張設することにより、空調空気は散水によって水分を含んだ通気性と保水性を有するシートを通過して加湿されることになり、夏季は水の気化冷却により冷却効果を高め、冬季は水の蒸散により乾燥防止を行うことで、苗の育成効果を高めることができる。
【００４５】
７、送風ダクトの配置が栽培ベンチ内に載置するだけでよく、送風ダクトの配置が簡単に行え、空調による栽培ベンチの構造を簡略化できる。
【００４６】
８、栽培ベンチの底壁と周壁を断熱材によって形成すると、保冷、保温効果を高めることで、苗の育成効果が向上する。
【図面の簡単な説明】
【図１】この発明に係る育苗用の開放型空調装置の一部切り欠き平面図
【図２】開放型空調装置の第１の例を示す拡大した縦断側面図
【図３】開放型空調装置の第２の例を示す拡大した縦断側面図
【図４】従来の育苗用空調装置の正面図
【符号の説明】
１  栽培ベンチ
２  底壁
３  周壁
４  架台
５  防水シート
６  通気性及び保水性を有するシート
７  栽培トレー
８  金網
９  通気性及び保水性を有するシート
１０  空気室
１０ａ  空気室
１０ｂ  空気室
１１  送風ダクト
１２  空調設備
１３  ダクト
１４  支持桟
１５  支持桟
１６  目の細かいシート
１７  散水ノズル
【図１】
0003595540.tif 000002
【図２】
0003595540.tif 000003
【図３】
0003595540.tif 000004
【図４】
0003595540.tif 000005